(57)【特許請求の範囲】
【請求項１】
棒状の作業部の先端から測定される予め医療用器具に装着された作業長さ調整具までの距離を調整することで作業長さを設定する、平面に静置して使用する医療用器具の作業長さ設定・計測具において、
柱状形状で外表面に軸心方向と平行して延びる目盛を備えた計測体と、
同計測体の一方端に設けられ前記計測体の径より大きい径の円盤部材と、
前記計測体の外周に、軸心方向と平行する方向に移動可能で周方向に回転不能に配置されて、所望位置で固定される機構を備え、且つ前記目盛が目視できる切れ込み部を有する作業長さ設定部材とからなり、
前記円盤部材と前記作業長さ設定部材とのどちらか一方は周縁端近傍に前記作業長さ調整具が装着された前記棒状の作業部が一方から通過する医療用器具通過孔を有し、他方は前記医療用器具通過孔を通過した前記棒状の作業部の先端が当接する面を有することを特徴とする
医療用器具の作業長さ設定・計測具。
【請求項２】
棒状の作業部の先端から測定される予め医療用器具に装着された作業長さ調整具までの距離を調整することで作業長さを設定する医療用器具の作業長さ設定・計測具において、
柱状形状で外表面に軸心方向と平行して延びる目盛を備えた計測体と、
同計測体の上端に設けられ前記計測体の径より大きい径の円盤部材と、
前記計測体の外周に、軸心方向と平行する方向に移動可能で周方向に回転不能に配置されて、所望位置で固定される機構を備え、且つ前記目盛が目視できる切れ込み部を有する作業長さ設定部材とからなり、
前記円盤部材は周縁端近傍に前記作業長さ調整具が装着された前記棒状の作業部が一方から通過する医療用器具通過孔を有し、前記作業長さ設定部材は前記医療用器具通過孔を通過した前記棒状の作業部の先端が当接する面を有することを特徴とする
医療用器具の作業長さ設定・計測具。
【請求項３】
棒状の作業部の先端から測定される予め医療用器具に装着された作業長さ調整具までの距離を調整することで作業長さを設定する医療用器具の作業長さ設定・計測具において、
柱状形状で外表面に軸心方向と平行して延びる目盛を備えた計測体と、
同計測体の下端に設けられ前記計測体の径より大きい径の円盤部材と、
前記計測体の外周に、軸心方向と平行する方向に移動可能で周方向に回転不能に配置されて、所望位置で固定される機構を備え、且つ前記目盛が目視できる切れ込み部を有する作業長さ設定部材とからなり、
前記作業長さ設定部材は周縁端近傍に前記作業長さ調整具が装着された前記棒状の作業部が一方から通過する医療用器具通過孔を有し、前記円盤部材は前記医療用器具通過孔を通過した前記棒状の作業部の先端が当接する面を有することを特徴とする
医療用器具の作業長さ設定・計測具。
【請求項４】
前記棒状の作業部が上方から通過する多数の医療用器具通過孔を有する請求項１〜３のいずれかに記載の医療用器具の作業長さ設定・計測具。
【請求項５】
前記目盛を表示する目盛表示面が平面であって、前記切れ込み部の周囲に設けられた平面と同一平面上に位置づけられる請求項１〜４のいずれかに記載の医療用器具の作業長さ設定・計測具。
【請求項６】
前記作業長さ設定部材を所望位置で固定する固定具の先端が挿入される軸心方向に延びる溝が前記計測体に備えられた、請求項１〜５のいずれかに記載の医療用器具の作業長さ設定・計測具。
【請求項７】
前記医療用器具通過孔が側方から前記医療用器具を挿入可能な医療用器具通過溝であり、さらに前記医療用器具通過溝は前記作業長さ調整具が入り込む概円柱形の保持部を備えた請求項１〜６のいずれかに記載の医療用器具の作業長さ設定・計測具。
【請求項８】
前記作業部の先端が当接する面が孔の底部である請求項１〜７のいずれかに記載の医療用器具の作業長さ設定・計測具。
【発明の詳細な説明】
【技術分野】
【０００１】  本発明は、医療用器具の作業長さ設定・計測具に関し、さらに言えば、医療従事者が患者に処置を施す際に使用する医療用器具に装着したストッパー等の作業長さ調整具の位置を予め決定した所望の作業長さに設定したり、医療用器具の長さを確認したりするための医療用器具の作業長さ設定・計測具である。
【背景技術】
【０００２】  医療従事者が患者に処置を施す医療行為の際に、使用する医療用器具をどのくらいの長さ、または深さで使用するかが、重要であることが多い。そこで、医療従事者は予め決定した所望の作業長さ（本文献では、作業深さを含む）に、ストッパー等の作業長さ調整具の位置を設定したり、所望の作業長さに準備された医療用器具を使用したりする。【０００３】  医療用器具の作業長さ設定・計測具は、原理的には、医科歯科のいずれの診療科でも類似のものとして利用することが可能である。例えば、整形外科の領域で骨折等の治療の際にドリリングを行う場合、作業長さを決定してストッパーを使用することにより、より安全な治療が期待できる。また、顔面領域を含む身体の一部を人工物で補綴する際、インプラントを利用する場合は、インプラント埋設穴形成用器具の作業長さ調整具を使用することが望ましい。移植や再生材料、人工材料を補填、充填する場合にも、医療用器具の作業長さ設定・計測具を使用することが可能である。【０００４】  ここでは歯科医療で用いられる医療用器具を例として、作業長さ設定・計測具について記述する。歯科医療の場合は、根管治療、根管形成処置やインプラント治療などで、所望の作業長さに、ストッパー等の作業長さ調整具の位置を設定することが多い。【０００５】  インプラント治療は、歯を失った部位の顎骨に人工の歯根（インプラント）を埋設して、人工歯冠（上部構造）等を装着する治療法である。この療法では、回転型ドリルや槌打型のオステオトームといったインプラント埋設穴形成用器具が使用される。インプラント埋設穴形成用器具は、通常、細いものから太いものへ数種類のものを使用する。それらの器具の作業長さ調整具として、一般的には、金属製のストッパーが使用される。
根管形成処置はコア築造を行うために根管周囲の歯質を削合する処置で、冠などの補綴物を装着する前に行う処置であり、ラバーストッパーを装着したピーソーリーマーや根管形成用ドリルを使用することが多い。【０００６】  根管治療は、深部のう蝕（虫歯）等の原因で、炎症を起こした歯髄を除去したり失活歯髄を清掃したりする治療法である。この療法では、リーマーやファイルといった針状の医療用器具が使用される。それらの器具の作業長さ調整具として、一般的には、ラバーストッパーが使用される。
多くの歯科医師は、根管治療の際に、電気的根管長測定器等を利用して根管長（歯質の上端から歯根管の先端までの距離）を測定し、その数値に基づいて作業長さ（一般的には根管長から１ｍｍを引いた長さ）を決定する。根管治療を行う際には、フィンガールーラー等の計測具を利き手でないほうの手の指につけて、リーマー、ファイル等の器具の先端からそれらの器具に装着したストッパーまでの距離を測定したり、ストッパーを移動したりしながらストッパーの位置を作業長さに設定している。根管用器具に装着するストッパーは、一般的にはラバー製でラバーストッパーと呼ばれている。【０００７】  通常は作業長さに設定した細い作業部を有する根管用器具を使用して根管内を機械的に清掃し、わずかにより太くなった作業部を有する根管用器具に順次交換していき、根管を拡大・形成していく。通常は、１つの根管に最低５〜６種類の太さの作業部を有する根管用器具を使用する。１歯につき１〜４つの根管が存在するので、４根管ある歯の場合には、すべての根管の作業長さが異なれば、限られた時間の中で１歯につき最低２０〜２４本の器具の作業長さを設定することになる【０００８】  根管の形成が終了したら、専用の材料で根管内部を充填して根管治療を終了する。
一部の歯科医師は、数本の器具のラバーストッパーを同じ作業長さに効率よく合わせる設定具を使用している。
【先行技術文献】
【特許文献】
【０００９】
【特許文献１】特許公開平１０−８５２４３号公報
【発明の概要】
【発明が解決しようとする課題】
【００１０】  数多くの器具のラバーストッパーの位置を作業長さに設定することは、時間とストレスのかかる作業であり、作業長さの設定ミスも起こりやすくなる。
上述した特許文献１の歯科根管形成器具用作業長さ設定用具は、同時に複数の根管形成用器具の作業長さが設定できるが、大きさが嵩張り、複雑な形態であるので作製費用が高額になると考えられる。また目盛を合わせるのに、ねじ式の回転支柱を回さなければならず、時間がかかってしまう、という欠点がある。
これらの問題点を解決して、コンパクトで目盛が見やすく、正確に設定しやすく、さらに比較的安価に製造できる作業長さ設定・計測具が望まれてきた。【００１１】  そこで本発明は、以上述べたような事情を考慮してなされたものであり、その目的とするところは、コンパクトで目盛が見やすく、容易に正確に設定しやすく、さらに比較的安価に製造できる作業長さ設定・計測具を提供することにある。
【課題を解決するための手段】
【００１２】  （１）  本発明の第１の観点による医療用器具の作業長さ設定・計測具は、
患者に医療処置を施す際に使用する医療用器具の作業長さ設定・計測具であって、
作業長さ調整具設定部と
目盛を付与した計測体と、
前記計測体の軸心方向に沿って平行移動可能で、作業長さ設定用目印を付与した作業長さ設定部材を有し、
前記計測体と前記作業長さ設定部材とを任意の位置で固定する固定具を有することを特徴としている。【００１３】  本発明の第１の観点による医療用器具の作業長さ設定・計測具は上記のような構成を有するので、前記作業長さ設定部材は、作業長さ設定用目印と固定具を用いて予め決定された所望の作業長さに、容易に設定・固定することができる。【００１４】  医療用器具の先端は、医療用器具に装着したラバーストッパーのような作業長さ調整具を作業長さ調整具設定部に接触させながら医療器具を下方に移動することによって、前記作業長さ設定部材に接触させることができる。その状態で、作業長さ調整具の種類によってはさらに医療用器具に固定することによって、作業長さ調整具は所望の作業長さに設定される。【００１５】  以上のように、本発明の医療用器具の作業長さ設定・計測具を使用することによって、医療用器具の作業長さ調整具は、精度良く・迅速、そして容易に、医療用器具の先端から所望の作業長さの位置に設置することができる。しかも本発明の医療用器具の作業長さ設定・計測具はコンパクトなので、操作性が良く、比較的安価に製造できる。【００１６】  （２）本発明の第１の観点による医療用器具の作業長さ設定・計測具の好ましい例では、前記作業長さ設定部材または前記計測体に切れ込み部を設けている。切れ込み部は前記作業長さ設定部材または前記計測体の上から下までスリットのように入れても良いし、上端または下端を残した途中までの切れ込みでも良い。あるいは、上端と下端以外に、窓のように切れ込みを入れても良い。【００１７】  切れ込み部を設けることにより、目盛が隠れる部分が少なくなり、見やすくなるといった利点がある。これにより、作業ミスが減り、作業効率が良くなる。【００１８】本発明の第１の観点による医療用器具の作業長さ設定・計測具の他の好ましい例では、前記作業長さ設定部材または前記計測体に透明な素材を用いている。【００１９】  透明な素材を用いることにより、切れ込み部を設けなくても、目盛や数値または作業長さ設定用目印に隠れる部分がなくなり、見やすくなる。【００２０】  本発明の第１の観点による医療用器具の作業長さ設定・計測具のさらに他の好ましい例では、前記目盛と前期作業長さ設定用目印が同一平面上に設置可能に構成されている。【００２１】  これにより、目盛と同一平面上で作業長さ設定用目印を設置することができるようになるので、見やすくなり精度の高い作業長さの設定も可能となる。【００２２】  本発明の第１の観点による医療用器具の作業長さ設定・計測具のさらに他の好ましい例では、前記計測体と前記作業長さ設定部材との水平的な位置関係が一定になるような手段を設けている。【００２３】  前記計測体と前記作業長さ設定部材との水平的な位置関係が一定になるような手段のひとつとして、前記計測体の周囲に回転不可能な形態がある。例えば、楕円柱形の前記計測体とそれに適合する楕円筒形の前記作業長さ設定部材の組み合わせや、多角柱形の前記計測体とそれに適合する多角柱形の筒抜け形状の前記作業長さ設定部材の組み合わせ等である。
また、前記計測体と前記作業長さ設定部材との水平的な位置関係が一定になるような別の手段には、前記作業長さ設定部材が前記計測体の周囲に回転可能な形態でも、前記固定具を締めることによって、水平的な位置が予め決定された任意の位置に固定されるものがある。例えば、前記計測体の軸心方向に平行に、前記計測体に回転防止溝または回転防止平面を付与する場合である。
前記回転防止溝または前記回転防止平面により、前記作業長さ設定部材は、前記計測体の軸心を基準にほぼ望ましい水平的位置に設定される。これにより、作業長さ調整具設定部から医療用器具先端部の設置部、設置孔、または設置溝までの距離を正確にするという利点がある。この効果は、前記回転防止溝のほうが前記回転防止平面よりも高いと考えられる。【００２４】  本発明の第１の観点による医療用器具の作業長さ設定・計測具のさらに他の好ましい例では、前記目盛の幅と連続するふたつの前記目盛の間の幅が等しく設定されている。【００２５】  これにより、見やすくなるとともに、連続するふたつの前記目盛の間も利用して作業長さ設定・計測が容易に行えるようになるという利点がある。【００２６】  本発明の第１の観点による医療用器具の作業長さ設定・計測具のさらに他の好ましい例では、前記目盛、または前記作業長さ設定用目印の幅を０．５ｍｍまたは１ｍｍに設定している。【００２７】  前記作業長さ設定部材に付与した前記作業長さ設定用目印は、目視できる程度の細い線でも良いが、０．５ｍｍ幅または１ｍｍ幅のような一定幅の線を付与すれば見やすくなり、線の上端、または下端を前記目盛と一致させることにより精度も高まるといった利点がある。【００２８】  また、前記目盛を０．５ｍｍ幅または１ｍｍ幅のような一定幅の線にすると、さらに見やすくなり作業長さが設定しやすくなる。【００２９】  作業長さ設定用目印と目盛の幅をそれぞれ０．５ｍｍにしたり、片方０．５ｍｍ、他方１ｍｍにしたりすれば、臨床上必要とされる０．５ｍｍごとの設定が容易になる。
こうすることで、医療現場で必要と考えられる０．５ｍｍ、１ｍｍレベルの作業長さが精度高く容易に設定できるという利点がある。【００３０】  本発明の第１の観点による医療用器具の作業長さ設定・計測具のさらに他の好ましい例では、前記作業長さ調整具設定部に医療用器具通過溝および前記医療用器具通過溝にストッパーが入り込む概円柱形のストッパー保持部を設けている。【００３１】  この例では、ストッパーの直径とストッパー保持部の直径をほぼ同一にして、ストッパー保持部にストッパーが入り込むようにすれば、様々な太さの医療用器具もあまり傾かずに設置されるので、作業長さ設定の作業が楽に精度高く行える。また医療用器具通過溝に挿入した細い医療用器具も外側方に外れずに保持することができるという利点もある。【００３２】  本発明の第１の観点による医療用器具の作業長さ設定・計測具のさらに他の好ましい例では、前記作業長さ調整具設定部、前記作業長さ設定部材、または前記器具先端部設置面の少なくともいずれかに１つの一部に、一定の距離で作業長さが変化するように、段差、溝または斜面を設けている。【００３３】  根管治療を行う歯科医師のなかには、ステップバック法やクラウンダウン法など作業長さを少しずつ変化させて根管治療を行う術者もいる。この例では、前記作業長さ調整具設定部、前記作業長さ設定部材、または前記器具先端部設置面のいずれかに、０．５ｍｍ、１ｍｍなど一定の値で作業長さが変化するように、全体的または部分的に段差、溝または斜面を設けることにより、いままで複雑だったステップバック法やクラウンダウン法の作業長さ設定にも対応することが可能になるという利点がある。
【発明の効果】
【００３４】  本発明の医療用器具の作業長さ設定・計測具は、医療用器具に装着したストッパー等の作業長さ調整具が所望の作業長さに設定できるように、計測体と作業長さ設定用目印を付与した作業長さ設定部材とを容易に任意の位置で固定することができるようにしたことを特徴とするため、通常の方法では時間のかかる、多くの医療用器具のストッパー設定が効率よくかつストレスが少なく可能となり、大きさもコンパクトで比較的安価に製造することができるといった効果がある。
【図面の簡単な説明】
【００３５】
【図１】  （Ａ）  本発明の第１実施形態に係る根管用器具の作業長さ設定・計測具を示す正面図である。  （Ｂ）  （Ａ）３１の部分拡大図である。  （Ｃ）  （Ａ）のＣ部分での断面図である。
【図２】  （Ａ）  本発明の第２実施形態に係る根管用器具の作業長さ設定・計測具を示す正面図である。  （Ｂ）  （Ａ）３１の部分拡大図である。
【図３】  （Ａ）  本発明の第３実施形態に係る根管用器具の作業長さ設定・計測具を示す斜視図である。  （Ｂ）  （Ａ）３１の部分拡大図である。
【図４】  本発明の第４実施形態に係る根管用器具の作業長さ設定・計測具を示す斜視図である。
【図５】  （Ａ）  本発明の第５実施形態に係るインプラント用器具の作業長さ設定・計測具を示す正面図である。  （Ｂ）  （Ａ）のＢ部分での断面図である。
【図６】  本発明の第１実施形態に係る根管用器具の作業長さ設定・計測具を示す正面図である図１（Ａ）の斜視図である。
【発明を実施するための形態】
【００３６】  以下、本発明を、図面を参照しながら、実施するための形態に基づいて具体的に説明する。
【００３７】  （第１実施形態）
図１、図６に本発明の第１実施形態に係る根管用器具の作業長さ設定・計測具の全体構成を示す。
【００３８】図から分かるように、本実施形態に係る根管用器具の作業長さ設定・計測具１は、計測体３の一端側（上側）に根管用器具５の作業部３３を挿入するための根管用器具通過孔１４を有する根管用器具保持体２を備えたストッパー設定具本体１１と、概円筒形の作業長さ設定部材４から構成されている。根管用器具の作業長さ設定・計測具１は、金属、樹脂等の剛性材から形成されている。
【００３９】計測体３は、高さ３０ｍｍ〜４０ｍｍ、直径２０ｍｍ〜３０ｍｍの概円柱形で、根管用器具保持体２は、高さ３ｍｍ〜１０ｍｍ、直径３０ｍｍ〜４０ｍｍの円柱形である。根管用器具保持体２と計測体３の軸心は一致する。また根管用器具通過孔１４の直径は１ｍｍ〜２．５ｍｍが好ましい。
【００４０】計測体３は目盛１７と数値１８を記した目盛表示面１６を有し、作業長さ設定部材４は、目盛表示面１６と同一平面に作業長さ設定用目印２９が位置づけられるように、作業長さ設定用目印２９を有する切れ込み部周囲平面部２７と切れ込み部２８を備え、さらに計測体３の任意の位置（高さ）で固定することができるように固定具２４を有する。
【００４１】作業長さ設定部材４は計測体３の軸心方向（上下方向）に沿って平行移動可能で、予め決定した作業長さを示す目盛に作業長さ設定用目印２９を合わせるように作業長さ設定部材４を移動し、固定具２４で作業長さ設定部材４を固定することで、根管用器具５の作業部３３に装着されたラバーストッパー３５を適切な位置（所望の作業長さ）に設置する準備が整う。
【００４２】  根管用器具の作業長さ設定・計測具１上部の根管用器具保持体２には、計測体３の軸心方向（上下方向）に平行に複数の根管用器具通過孔１４が設けられ、根管用器具５の作業部３３が通過することで、根管用器具５が保持される。根管用器具通過孔１４の数は、４〜１４個が標準的と考えられる。
【００４３】  それぞれの器具先端部設置孔２２は対応する根管用器具通過孔１４の真下に位置し、根管用器具５の作業部先端３６をそこに設置することで、根管用器具５が計測体３の軸心方向とほぼ平行に位置づけられ、測定誤差を少なくすることができる。
【００４４】  根管用器具５は、作業部３３に予めラバーストッパー３５が装着されて販売されている場合と装着されずに販売されている場合がある。装着されていない場合は、ラバーストッパー３５の中心に、かつラバーストッパー３５の作業長さ設定面３７が作業部３３の軸心方向に直交するように、作業部３３を穿通しておく。さらに、いずれの場合にも、ラバーストッパー３５が容易に移動しないかを確認しておき、作業長さよりも作業部先端３６よりと思われる作業部３３上の位置にラバーストッパー３５を予め移動しておく。
【００４５】  根管用器具５の作業部３３を根管用器具通過孔１４に入れることによって、作業部３３に装着されたラバーストッパー３５は、根管用器具保持体２の上面の作業長さ調整具設定部１３と接触し、作業者の手指で根管用器具柄部３４を正回転（多くの場合、右回転）させながら下方へ移動することによって、作業部先端３６を作業長さ設定部材４上面の器具先端部設置面２１の器具先端部設置孔２２の最深部に接触させることができる。作業者は指を離して、ラバーストッパー３５が作業長さ調整具設定部１３と、作業部先端３６が器具先端部設置孔２２の最深部に接触していることを確認して、１つの根管用器具５のラバーストッパー３５の所望の作業長さへの設置が終了する。
【００４６】  同様に、術者が使用する順番に従って、通常は一番細い作業部３３を有する根管用器具５から順次太いほうに向かって、ラバーストッパー３５を所望の作業長さに設置する。使用予定のすべての根管用器具５のラバーストッパー３５を所望の作業長さに設置して、ラバーストッパー３５の設定を終了する。
【００４７】  第１実施形態に係る根管用器具の作業長さ設定・計測具１には、測定精度を上げ作業長さを設定しやすくし、迅速に作業できるようにするための機構がいくつか組み込まれている。
【００４８】  第一の機構は、固定具接触面１２と固定具２４のネジ部２６底面が共に平面同士で接触し、それによりそれぞれの器具先端部設置孔２２が対応する根管用器具通過孔１４の真下に位置するようになっている。また、この効果を精度高く発揮できるように、固定具接触面１２は図４のような固定具接触溝５０であっても良く、また計測体３外面と作業長さ設定部材４内面が下方から見て楕円形形状等、回転しない形状の組み合わせで接触する構造であっても良い。あるいは、図３のように固定具中心線４４や固定具中心点等の目印と固定位置確認線４５を一致させることによって、同様の効果を発揮させても良い。
【００４９】  第二の機構は、つまみ部２５を手指で左回転することにより固定具２４をゆるめた時に、作業長さ設定部材４が計測体３から脱落してしまうのを防ぐ脱落防止部１９を設けたことである。
【００５０】  第三の機構は、作業長さを正確に設定するのを容易にすることに関するものである。これに関しては、（Ａ）の（Ｂ）部分３１が（Ｂ）で拡大されて示されているので、（Ｂ）を参照しながら説明する。目盛１７は幅０．５ｍｍの太線で示されていて、作業長さ設定用目印２９も幅０．５ｍｍの太線で示されている。
これによって線が見やすくなるばかりでなく、臨床上必要な精度と考えられる０．５ｍｍごとの設定が容易になる。
【００５１】  例えば図で示すように、目盛１７の２本の黒い０．５ｍｍ線（２４ｍｍ線３２と２５ｍｍ線３３）の間の白い部分である２４．５ｍｍ部３４に作業長さ設定用目印２９を一致させて固定具２４を締めれば作業長さ設定部材４を２４．５ｍｍに設定することができる。もし作業長さ設定用目印２９を２４ｍｍ線３２に合わせれば２４ｍｍに、２５ｍｍ線３３に合わせれば２５ｍｍに設定できる。
【００５２】  第四の機構も、目盛１７と数値１８を見やすくして作業長さを正確に設定するのを容易にすることに関するものである。
作業長さを設定する根管用器具の作業長さ設定・計測具１の作業長さ設定部材４に、窓やスリットなどの切れ込み部２８を設けたことにより、器具先端部設置面２１で目盛を読み取らなくても良くなった。器具先端部設置面２１で目盛を読み取る場合は、作業長さ設定部材４を下方から上方へ移動しなければ目盛１７を読み取りづらく、設定終了付近で下方の数値１８と目盛１７が見えずに作業長さ設定の確実性と正確性に問題があった。本発明では、窓やスリットなどの切れ込み部２８を設けたため、従来の問題点が解決された。
【００５３】  さらに切れ込み部周囲平面部２７と、切れ込み部２８から見える目盛表示面１６は、（Ｃ）に示すように、ほぼ同一平面上にあるため、目盛１７と作業長さ設定用目印２９もほぼ同一平面上に位置づけられ、見やすく作業長さの設定も容易である。
【００５４】（第２実施形態）
図２に本発明の第２実施形態に係る根管用器具の作業長さ設定・計測具の全体構成を示す。図から分かるように、本実施形態に係る根管用器具の作業長さ設定・計測具１は、概円柱形または概円筒形の計測体３の一端側（下側）に、器具先端部設置面２１に器具先端部設置部４２を有する器具先端部設置体４１を備えた円柱形または円筒形のストッパー設定具本体１１と、固定具２４を有する概円筒形の作業長さ設定部材（兼根管用器具保持体）２０から構成されている。
【００５５】計測体３と軸心の一致する器具先端部設置体４１は高さ１ｍｍ〜１０ｍｍ、直径３０ｍｍ〜５０ｍｍが好ましい。作業長さ設定部材（兼根管用器具保持体）２０は、高さ３ｍｍ〜１０ｍｍ、直径３０ｍｍ〜４０ｍｍの概円筒形である。
第２実施形態に係る根管用器具の作業長さ設定・計測具１にも、測定精度を上げ作業長さを設定しやすくし、迅速に作業できるようにするための機構がいくつか組み込まれている。
【００５６】  第一の機構は、目盛表示面１６と切れ込み部周囲平面部２７が同一平面上になるように作業長さ設定部材（兼根管用器具保持体）２０を設置することで、それぞれの器具先端部設置孔２２が対応する根管用器具通過孔１４の真下に位置するようになっている。実際の手技としては、目盛表示面１６と切れ込み部周囲平面部２７が同一平面になるように左手親指等を接触させながら作業長さ設定部材（兼根管用器具保持体）２０を移動・設置することで、この効果を発揮させることができる。あるいは、各々の目盛１７の右端を結ぶように設けた回転設置防止線４３に作業長さ設定用目印２９の左端を合わせるようにすることで同様の効果を期待できる。
【００５７】  第二の機構は、作業長さを正確に設定するのを容易にすることに関するもので、（Ｂ）を参照しながら説明する。目盛１７は幅０．５ｍｍ、作業長さ設定用目印２９は幅１ｍｍの太線で示され、臨床上必要な精度と考えられる０．５ｍｍごとの設定が容易になる。
【００５８】  例えば図で示すように、目盛１７の２４の位置にある黒い０．５ｍｍの２４ｍｍ線３２の上端に黒い１ｍｍの作業長さ設定用目印２９の上端を一致させれば２４ｍｍに設定することができる。もし作業長さ設定用目印２９の上端を２４ｍｍ線３２の下端に合わせれば２３．５ｍｍに設定できる。
【００５９】  第三の機構は、作業長さ設定部材（兼根管用器具保持体）２０に、部分的なスリット状の切れ込み部２８を設け、目盛１７と数値１８を見やすくした。
【００６０】（第３実施形態）
図３に本発明の第３実施形態に係る根管用器具の作業長さ設定・計測具の全体構成を示す。
【００６１】図から分かるように、本実施形態に係る根管用器具の作業長さ設定・計測具１は、計測体３の一端側（上側）に根管用器具５の作業部３３を挿入するための根管用器具通過溝５１とラバーストッパー３５を保持するストッパー保持部５２を有する根管用器具保持体２を備えたストッパー設定具本体１１と、透明樹脂でできた円筒形の作業長さ設定部材４から構成されている。ストッパー設定具本体１１は、金属、樹脂等の剛性材から形成されている。
【００６２】根管用器具通過溝５１の幅は０．５ｍｍ〜２ｍｍが好ましい。ストッパー保持部５２は高さ１ｍｍ〜３ｍｍ、直径３ｍｍ〜５ｍｍの概円柱形であり、ストッパー３５がしっかりと入り込むように、使用するストッパー３５よりやや大きな形態が望ましい。ストッパー３５が保持されるように（下方に落下しないように）、下方は、幅０．５ｍｍ〜２ｍｍの根管用器具通過溝５１になっている。
【００６３】計測体３は１ｍｍ幅の目盛１７と５ｍｍ間隔で記された数値１８を付与した目盛表示面１６を有するが、平面ではないため、円周曲面になっている。５ｍｍ間隔で目盛１７の左端の上端、または下端から、５ｍｍ間隔で記された数値１８に向かって細い線である数値指示線５５が延びている。作業長さ設定部材４は透明な樹脂なので、真正面から見れば、目盛表示面１６と作業長さ設定用目印２９は位置づけが容易である。第１実施形態のような切れ込み部周囲平面部２７、切れ込み部２８、平面状の目盛表示面１６がなくても目盛１７と数値１８が見やすくなり、作業長さ設定用目印２９を用いて作業長さ設定部材４を所望の作業長さに設置しやすくなる。
【００６４】また計測体３には縦に垂直に固定位置確認線４５が、作業長さ設定部材４には器具先端部設置面２１に固定具中心線４４が付与されていて、ふたつの線を一致させることにより、それぞれの器具先端部設置溝が対応する根管用器具通過孔１４の真下に位置するようになっている。図では右に０．５ｍｍの深さの器具先端部設置溝５３、左に１ｍｍの深さの器具先端部設置溝５３が示されている。溝の深さがわかりやすいように、深さを示す数値を作業長さ設定部材４または根管用器具保持体２に付与すると便利である。
【００６５】このように０．５ｍｍずつまたは１ｍｍずつ長くあるいは短く作業長さを設定できるようにしておくと、臨床的には有意義である。例えば実際の診療では、３〜４根管を有する歯の根管治療を行うことが多いが、作業長さが比較的近い数値になることが多いので、作業長さ設定部材４を移動せずに根管用器具５のラバーストッパー３５を所望の作業長さに設置できる可能性が高くなる。そうなれば時間と労力が省かれる。また、ステップバック法やクラウンダウン法といった作業長さを少しずつ変化させる治療法を行う場合は、ラバーストッパー３５を適切な位置に設置するのが複雑で大変だったが、ラバーストッパー３５をそれぞれの作業長さに合わせた根管用器具５を別の根管用器具スタンドにたてることで効率よく準備ができる。もし０．５ｍｍずつ深さが異なる器具先端部設置溝５３と根管用器具通過溝５１を２０個ずつ設けた根管用器具の作業長さ設定・計測具１であれば、多くの場合で作業長さ設定部材４を移動させずに根管治療をおこなうことができると考えられる。
【００６６】  作業長さ設定部材４は、０．５ｍｍ幅の作業長さ設定用目印２９を有し、予め決定した作業長さを示す目盛に作業長さ設定用目印２９を合わせることで、根管用器具５の作業部３３に装着されたラバーストッパー３５を適切な位置（所望の作業長さ）に設置する準備が整う。
【００６７】  根管用器具の作業長さ設定・計測具１上部の根管用器具保持体２には、計測体３の軸心方向（上下方向）に平行に複数の根管用器具通過溝５１が設けられ、根管用器具５の作業部３３が通過し、ラバーストッパー３５がストッパー保持部５２に入り込むことによって、根管用器具５が保持される。根管用器具通過溝５１の数は、３〜２０個が標準的と思われる。
【００６８】  根管用器具５に装着されているストッパー３５よりも作業部先端３６寄りの作業部３３を根管用器具通過溝５１に挿入して下方に移動することによって、作業部３３に装着されたラバーストッパー３５は、根管用器具保持体２に設けられたストッパー保持部５２に挿入され、ストッパー保持部５２の底部に接触する。作業者の手指で根管用器具柄部３４を正回転（多くの場合、右回転）させながら下方へ移動することによって、作業部先端３６を作業長さ設定部材４上面の器具先端部設置面２１または器具先端部設置溝５３の最深部に接触させることができる。作業者は指を離して、ラバーストッパー３５がストッパー保持部５２の最深部に、かつ作業部先端３６が器具先端部設置面２１または器具先端部設置溝５３の最深部に接触していることを確認して、１つの根管用器具５のラバーストッパー３５の所望の作業長さへの設置が終了する。
【００６９】  第３実施形態に係る根管用器具の作業長さ設定・計測具１には、測定精度を上げ作業長さを設定しやすくし、迅速に作業できるようにするための機構がいくつか組み込まれている。
【００７０】  第一の機構は、固定具中心線４４や固定具中心点等の目印と固定位置確認線４５を一致させることによって、それぞれの器具先端部設置溝５３は対応するストッパー保持部５２の真下に位置するようになっている。
【００７１】第二の機構は、作業長さを正確に設定するのを容易にすることに関するもので、（Ｂ）を参照しながら説明する。目盛１７は幅１ｍｍの太線で示されていて、作業長さ設定用目印２９は幅０．５ｍｍの太線で示されている。数値１８のうち５ｍｍ間隔で記された２０，２５に向かって、細い線である数値指示線５５が、目盛１７の左端の下端または上端から延びている。
これによって目盛が見やすくなるばかりでなく、臨床上必要な精度と考えられる０．５ｍｍごとの設定が容易になる。
例えば図で示すように、目盛１７のうち上から２本目の黒い１ｍｍ線の下端に作業長さ設定用目印２９の上端または器具先端部設置面２１一致させれば作業長さ設定部材４を２２ｍｍに設定することができる。
【００７２】  （第４実施形態）
図４に本発明の第４実施形態に係る根管用器具の作業長さ設定・計測具の全体構成を示す。
【００７３】図から分かるように、本実施形態に係る根管用器具の作業長さ設定・計測具１は、根管用器具５の作業部３３を挿入するための根管用器具通過溝５１を上面に有する計測体３の一端側（右端）に作業長さ調整具設定部１３を、他端（左端）付近の下面に利き手でない方の手の指に装着するための保持体６３を有するストッパー設定具本体１１と、透明な概長方体形の作業長さ設定部材４から構成されている。根管用器具の作業長さ設定・計測具１は、金属、樹脂等の剛性材から形成されている。
【００７４】計測体３は、縦１５ｍｍ〜２５ｍｍ、横３０ｍｍ〜４０ｍｍ、高さ３ｍｍ〜５ｍｍの板状形状で、根管用器具通過溝５１の幅は２ｍｍ〜４ｍｍ、深さ１〜３ｍｍが好ましい。
【００７５】計測体３は目盛１７と数値１８を記した目盛表示面１６を有し、作業長さ設定部材４は、器具先端部設置面２１が作業長さに設定できるように、作業長さ設定用目印２９（灰色の面）が器具先端部設置面２１に付与されている。さらに計測体３の任意の位置で固定することができるように固定具２４を有する。作業長さ設定部材４は計測体３の軸心方向（左右方向）に沿って平行移動可能で、予め決定した作業長さを示す目盛に作業長さ設定用目印２９を合わせるように作業長さ設定部材４を移動し、固定具２４で作業長さ設定部材４を固定することで、根管用器具５の作業部３３に装着されたラバーストッパー３５を適切な位置（所望の作業長さ）に設置する準備が整う。
【００７６】  計測体３の上下側面は目盛表示面１６（上面）から下面にかけて狭くなる作業長さ設定部材把持面６２であり、作業長さ設定部材４は上下の作業長さ設定部材把持面６２と目盛表示面１６（上面）を抱きかかえるように係合することによって、作業長さ設定部材４が計測体３から外れたり浮き上がったりするのを防いでいる。
【００７７】  根管用器具５の作業部３３を根管用器具通過溝５１に挿入して、根管用器具５を左方に移動することによって、作業部３３に装着されたラバーストッパー３５は、作業長さ調整具設定部１３と接触し、作業者の手指で根管用器具柄部３４を正回転（多くの場合、右回転）させながら左方へ移動することによって、作業部先端３６を作業長さ設定部材４の器具先端部設置面２１に接触させることができる。作業者は、ラバーストッパー３５が正しい位置に移動したことを確認して、１つの根管用器具５のラバーストッパー３５の所望の作業長さへの設置が終了する。
【００７８】  第４実施形態に係る根管用器具の作業長さ設定・計測具１にも、測定精度を上げ作業長さを設定しやすくし、迅速に作業できるようにするための機構がいくつか組み込まれている。
【００７９】  第一の機構は、作業長さを正確に設定するのを容易にすることに関するものである。目盛１７は幅０．５ｍｍの太線で示されていて、作業長さ設定用目印２９は上方から見れば、細い幅の線に、右上方から見れば、太い幅の線に見える。これによって目盛が見やすくなり、臨床上必要な精度と考えられる０．５ｍｍごとの作業長さの設定が容易になる。
【００８０】  第二の機構も、目盛１７と数値１８を見やすくして作業長さを正確に設定するのを容易にすることに関するものである。
不透明な作業長さ設定部材４では、作業長さ設定の確実性と正確性に問題があった。本発明では、透明な作業長さ設定部材４を設けたため、従来の問題点が解決された。
【００８１】  （第５実施形態）
図５に本発明の第５実施形態に係るインプラント用器具の作業長さ設定・計測具の全体構成を示す。
【００８２】  （Ａ）から分かるように、本実施形態に係るインプラント用器具の作業長さ設定・計測具７１は、作業長さ設定部材４とインプラント用器具６５の切削部７３を挿入するためのインプラント用器具通過溝７２を上面に有する長方体形（板状）の計測体３の一端側（右端）に作業長さ調整具設定部１３を有するストッパー設定具本体１１と、概四角錐台形の作業長さ設定部材４から構成されている。インプラント用器具の作業長さ設定・計測具７１は、金属、樹脂等の剛性材から形成されている。
【００８３】  また（Ｂ）から分かるように、計測体３はインプラント用器具通過溝７２により台形の断面を有し、作業長さ設定部材把持面６２で、作業長さ設定部材４の上面から下面にかけて広くなっている上下側面を抱きかかえるように把持し、作業長さ設定部材４が外れないようにしている。固定具２４はネジ部２６が作業長さ設定部材４のメスネジ部２３を通過し、計測体３のインプラント用器具通過溝７２の底面で計測体３に接触できるように設計されている。
【００８４】  計測体３は、縦１５ｍｍ〜２５ｍｍ、横３０ｍｍ〜５０ｍｍ、高さ３ｍｍ〜５ｍｍで、インプラント用器具通過溝７２の幅は４ｍｍ〜１５ｍｍ、深さ２〜４ｍｍが好ましい。
【００８５】  （Ａ）に示すように、計測体３はインプラント用器具通過溝７２の両側に目盛１７と数値１８を記した目盛表示面１６を有し、作業長さ設定部材４には、器具先端部設置面２１上部が作業長さに設定できるように、作業長さ設定用目印２９が器具先端部設置面２１上部に付与されている。
作業長さ設定部材４は、器具先端部設置面２１が二段になっていて、下部半分は上部半分より２ｍｍ短くなっている。また上部半分の一部と下部半分は目盛１７の２ｍｍ分が右方向に下る斜面になっていて、右端から０．５ｍｍと１．５ｍｍに左端が位置するように０．５ｍｍ幅の太線が設けられている。
【００８６】  第５実施形態に係るインプラント用器具の作業長さ設定・計測具７１は、上述したような構成を有するので、予め決定した作業長さに作業長さ設定用目印２９を設定・固定することで、設定した作業長さからプラス４ｍｍまでの長さの設定が０．５ｍｍ刻みで可能になる。
【００８７】以上のように、第５実施形態に係るインプラント用器具の作業長さ設定・計測具７１は、容易かつ精度高く作業長さを設定でき、構造も簡便であるため、費用も抑えて作製することが可能である。
また、インプラント用ドリルの円錐形先端部を器具先端部設置面２１の斜面に合わせることによって、ドリルのストッパー設定も容易にかつ精度良くできるという利点がある。
【００８８】  （他の変形例）
上述した第１〜第５実施形態は、本発明を具体化した例を示すものである。したがって、本発明はこの実施形態に限定されるものではなく、本発明の趣旨を外れることなく種々の変形が可能であることは言うまでもない。
例えば、計測体３は、四角柱形のような多角柱形であっても良く、目盛を付与する部分は１か所でも２か所以上でも良い。また根管用器具保持体２は、中心に孔を開けた円筒状の形態にしても良い。それによって、より軽くなり、さらに手で保持する時に、指を入れて落下しないようにできる。またスポンジ等を入れて根管用器具５を刺しておくスタンドとしても使用できる。
さらに根管用器具通過孔１４の直径は、すべて同じでもよいが、根管用器具５の作業部３３の太さの違いを考慮して、変化させても良い。その場合には、どこにどの太さの作業部３３を有する根管用器具５が適応するかを目印等で分かるようにした方が好ましい。
また計測体３と作業長さ設定部材４の相互関係は逆になっても良い。すなわち、図１で述べれば、作業長さ設定部材４の高さを３０〜４０ｍｍにし、目盛１７や数値１８と作業長さ設定用目印２９を入れ替えて根管用器具の作業長さ設定・計測具１を作製しても良い。その場合は、計測体３と作業長さ設定部材４も入れ替わり、内側に作業長さ設定部材４が位置づけられ、作業長さ設定用目印２９は作業長さ設定部材４の下端付近に付与されるのが好ましい。
【符号の説明】
【００８９】１  根管用器具の作業長さ設定・計測具
２  根管用器具保持体
３  計測体
４  作業長さ設定部材
５  根管用器具
１１  ストッパー設定具本体
１２  固定具接触面
１３  作業長さ調整具設定部
１４  根管用器具通過孔
１６  目盛表示面
１７  目盛
１８  数値
１９  脱落防止部
２０  作業長さ設定部材（兼根管用器具保持体）
２１  器具先端部設置面
２２  器具先端部設置孔
２３  メスネジ部
２４  固定具
２５  つまみ部
２６  ネジ部
２７  切れ込み部周囲平面部
２８  切れ込み部
２９  作業長さ設定用目印
３０  作業長さ設定部材下面
３１  （Ｂ）部分
３３  作業部
３４  根管用器具柄部
３５  ラバーストッパー
３６  作業部先端
３７  ラバーストッパー下面
３８  ２４ｍｍ線
３９  ２５ｍｍ線
４０  ２４．５ｍｍ部
４１  器具先端部設置体
４２  器具先端部設置部
４３  回転設置防止線
４４  固定具中心線
４５  固定位置確認線
５０  固定具接触溝
５１  根管用器具通過溝
５２  ストッパー保持部
５３  器具先端部設置溝
５５  数値指示線
６２  作業長さ設定部材把持面
６３  保持体
６５  インプラント用器具
７１  インプラント用器具の作業長さ設定・計測具
７２  インプラント用器具通過溝
７３  切削部
７４  軸部
７５  ストッパー
７７  ストッパー下面
【図１】
0006391051.tif 000002
【図２】
0006391051.tif 000003
【図３】
0006391051.tif 000004
【図４】
0006391051.tif 000005
【図５】
0006391051.tif 000006
【図６】
0006391051.tif 000007